(57)【要約】【課題】携帯電子機器の二次電池への充電を安定して行なえる充電置き台を提供する。【解決手段】携帯電話機６が載る収容部７に、携帯電話機６の背面の充電端子１０に向き合うように第１の開口１１を穿設した上ケース８と、第１の開口１１より充電端子１０へ向けて突出自在に付設された給電端子２と、第１の開口１１を開閉すると共に、開閉動作に伴って充電端子１０への接触対象となる給電端子２の接点部１８に摺接し得るシャッタ３とを備えている。  つまり、シャッタ３が第１の開口１１を開閉するときに給電端子２の接点部１８に摺接して当該個所を磨き、塵埃や化学変化した表面層などを取り除く。【選択図】図１
2006211844.tif 000002
【特許請求の範囲】
【請求項１】
携帯電子機器が載る収容部に、携帯電子機器背面の充電端子に向き合う第１の開口を有するケースと、前記第１の開口より突出自在に付勢された給電端子と、前記第１の開口を開閉すると共に、開閉動作に伴って前記給電端子の充電端子への接触対象となる個所に摺接し得るシャッタとを備えてなることを特徴とする充電置き台。
【請求項２】
前記収容部には携帯電子機器の端部に向き合う第２の開口を有すると共に、該第２の開口より突出自在に付勢されたノブを有し、このノブが第２の開口より突出しているときは前記シャッタが第１の開口を閉じ、且つ前記ノブが第２の開口内へ入り込んだときに前記シャッタが前記第１の開口を開くように構成してあることを特徴とする請求項１に記載の充電置き台。
【請求項３】
前記ノブと前記シャッタとが一体的に連結してあることを特徴とする請求項２に記載の充電置き台。
【請求項４】
前記ノブと前記シャッタとが一体的に形成してあることを特徴とする請求項２に記載の充電置き台。
【請求項５】
前記収容部には携帯電子機器背面の凹部に向き合う第３の開口を有すると共に、前記凹部に係合し得るように第３の開口より突出自在に設けられた爪部を有し、前記ノブが第２の開口より突出しているときは爪部が第３の開口内へ入り込み、且つ前記ノブが第２の開口内へ入り込んだときに爪部が第３の開口から突き出るように構成してあることを特徴とする請求項２乃至４のいずれか一項に記載の充電置き台。
【請求項６】
前記シャッタの給電端子に摺接する部位のうち、第１の開口を通過するコーナー部に面取りを施してあることを特徴とする請求項１乃至５のいずれか一項に記載の充電置き台。
【発明の詳細な説明】
【技術分野】
【０００１】
本発明は、携帯電話機、ＰＤＡ（Personal Digital Assistant）、デジタルカメラなどの携帯電子機器に備わる二次電池を充電するための充電置き台に関するものである。
【背景技術】
【０００２】
携帯電話機、ＰＤＡ、デジタルカメラなどの携帯電子機器は、作動電源として二次電池を搭載しており、この二次電池に定期的な充電を行なうために、充電置き台が用いられている。
【０００３】
従来の充電置き台は、携帯電子機器が載る収容部を形成したケースと、携帯電子機器の充電端子に向き合うようにケースに設けた給電端子とを備え、前記収容部に携帯電子機器を載せると、充電端子が給電端子に接触して二次電池への充電が行なわれるようになっていた（例えば、特許文献１、２参照）。
【特許文献１】特開２００３−４７１６４号公報
【特許文献２】特開２００３−５１８７５号公報
【発明の開示】
【発明が解決しようとする課題】
【０００４】
しかしながら、従来の充電置き台を繰り返し使用していると、給電端子の充電端子への接触対象個所に塵埃が付着すること、またはスパークなどに起因した前記接触対象個所の化学変化（酸化皮膜の生成）によって導電性が低下し、二次電池へ安定した充電が行なえなくなる。
【０００５】
特許文献１、２に提案されている充電置き台はいずれも、給電端子が常に露出した状態であるため、塵埃が付着しやすく、何らかの成り行きで給電端子の間に導体物が介在した場合は短絡が生じてしまう。
【０００６】
このような短絡を回避する手立てとしては、収容部に携帯電子機器が載ったことを検知するスイッチを設け、携帯電子機器が収容部に載ったときのみに通電を行なうようにした回路構成も考えられるが、前述した給電端子への塵埃を付着を解消するには至らない。
【０００７】
本発明は上述した実情に鑑みてなしたもので、安全性に優れると共に、携帯電子機器の二次電池への充電を安定して行なえる充電置き台を提供することを目的としている。
【課題を解決するための手段】
【０００８】
上記目的を達成するために本発明は、携帯電子機器が載る収容部に、携帯電子機器背面の充電端子に向き合う第１の開口を有するケースと、前記第１の開口より突出自在に付勢された給電端子と、前記第１の開口を開閉すると共に、開閉動作に伴って前記給電端子の充電端子への接触対象となる個所に摺接し得るシャッタとを備えている。
【０００９】
これに加え、前記収容部には携帯電子機器の端部に向き合う第２の開口を有すると共に、該第２の開口より突出自在に付勢されたノブを有し、このノブが第２の開口より突出しているときは前記シャッタが第１の開口を閉じ、且つ前記ノブが第２の開口内へ入り込んだときに前記シャッタが前記第１の開口を開くような構成を採る。
【００１０】
また、前記収容部には携帯電子機器背面の凹部に向き合う第３の開口を有すると共に、前記凹部に係合し得るように第３の開口より突出自在に設けられた爪部を有し、前記ノブが第２の開口より突出しているときは爪部が第３の開口内へ入り込み、且つ前記ノブが第２の開口内へ入り込んだときに爪部が第３の開口から突き出るような構成を採る。
【００１１】
つまり、前記シャッタが第１の開口を開閉するときに、給電端子の充電端子への接触対象個所に摺接して当該個所を磨くことになる。
【００１２】
更に、前記収容部に載せた携帯電子機器がノブを第２の開口へ押し込むと、ノブに追従してシャッタが第１の開口を開き、反対に収容部から携帯電子機器を外してノブが第２の開口より突出すると、ノブに追従してシャッタが第１の開口を閉じる。
【００１３】
また、携帯電子機器によって前記ノブが第２の開口に押し込まれると、第３の開口より爪部が突出して携帯電子機器の凹部に係合し、反対に収容部から携帯電子機器を外すと、ノブが第２の開口より突出し、これに追従して爪部が第３の開口内へ入り込む。
【発明の効果】
【００１４】
本発明の充電置き台によれば、下記のような優れた効果を奏し得る。
【００１５】
シャッタが第１の開口を開閉するときに、給電端子の充電端子への接触対象個所に摺接して当該個所を磨き、塵埃や化学変化した表面層などを取り除くので、充電端子に対する給電端子の導電性が低下することがなく、携帯電子機器の二次電池への充電を安定して行なえる。
【発明を実施するための最良の形態】
【００１６】
以下、本発明の実施の形態を図示例とともに説明する。
【００１７】
図１乃至図３は本発明の充電置き台の実施の形態の一例を示すもので、卓上ホルダ１、給電端子２、シャッタ３、ノブ４、及び爪部５を主な構成要素としている。
【００１８】
卓上ホルダ１は、携帯電話機６が縦向きに載る収容部７を前面に形成した上ケース８と、該上ケース８の背面開口及び底面開口を塞ぐ下ケース９とを組み合わせたものである。
【００１９】
上ケース８の収容部７には、携帯電話機６の背面上部に設けてある充電端子１０に向き合う第１の開口１１と、携帯電話機６の下端部に向き合う第２の開口１２と、携帯電話機６の背面下部に形成された凹部１３に向き合う第３の開口１４とが穿設してある。
【００２０】
上ケース８の内部には、前記開口１１，１４の中間に位置して収容部７の裏面に連なるばね座１５と、開口１１の下縁至近に位置して収容部７の裏面に対峙する端子座１６と、シャッタ３の左右の縁部を厚み方向に挟んで、当該シャッタ３が収容部７の裏面に沿って上下へ摺動し得るように導くガイド１７とが設けてある。
【００２１】
給電端子２は金属線材を加工したもので、第１の開口１１を通過し得るように屈折した接点部１８と、該接点部１８の一端に連なる弦巻ばね部１９と、前記接点部１８の他端に直線的に連なる止め部２０とを有している。
【００２２】
給電端子２は、接点部１８が第１の開口１１から上ケース８の外方へ向けて付勢されるように弦巻ばね部１９を前記端子座１６に装着してあり、収容部７の裏面に対峙している止め部２０によって第１の開口１１から接点部１８が抜け出てしまうことを防いでいる。
【００２３】
この給電端子２には、商用交流電流から二次電池への充電に適するように降圧整流した直流電流がＡＣアダプタ（図示せず）から供給される。
【００２４】
シャッタ３は、上下方向に延びて前記ばね座１５が入り込むスリット２１を有し、上端寄り部分が前記端子座１６と収容部７の間隙を通って、第１の開口１１を開く位置（図１参照）から閉じる位置（図２参照）を行き来できるようになっており、上ケース８の頂部裏面とシャッタ３の間には、シャッタ３を第１の開口１１の閉止位置へ上向きに付勢する引張ばね２２が、前記給電端子２に干渉しないように介在させてある。
【００２５】
ノブ４は、シャッタ３の下端部に連なって前記第２の開口１２に上向きに嵌まり込んでいる。
【００２６】
このノブ４はシャッタ３と一体的に形成してあるが、ノブ４とシャッタ３を相互に連結するようにしてもよい。
【００２７】
つまり、収容部７に載せた携帯電話機６の下端部がノブ４に当接すると、携帯電話機６の重量、あるいはユーザーによる操作によってノブ４が第２の開口１２に押し込まれると共に、引張ばね２２が伸びてシャッタ３が第１の開口１１を開く位置まで下降し、当該第１の開口１１から給電端子２の接点部１８が弦巻ばね部１９の復元力で外方へ突出して、携帯電話機６の充電端子１０に確実に接触する（図１参照）。
【００２８】
シャッタ３の下降位置は、前記収容部７の裏面側のばね座１５にスリット２１の上縁が干渉することによって規制される。
【００２９】
また、携帯電話機６を収容部７から外すと、引張ばね２２の復元力によってシャッタ３が第１の開口１１を閉ざす位置まで引き上げられると共に、第２の開口１２の外方へノブ４が突出し、シャッタ３の上昇作動に伴って給電端子２の接点部１８が上ケース８の内部へ押し込まれる（図２参照）。
【００３０】
シャッタ３の上昇位置は、ノブ４が収容部７の裏面下端部に干渉することによって規制される。
【００３１】
これに加えて、シャッタ３が第１の開口１１を開閉するときには、給電端子２の接点部１８にシャッタ３が摺接して当該個所を磨き、塵埃や化学変化した表面層などを取り除くので、充電端子１０に対する給電端子２の導電性が低下することがなく、携帯電話機６の二次電池への充電を安定して行なえる。
【００３２】
更に、シャッタ３の前記接点部１８に摺接する部位のうち、第１の開口１１を通過するコーナー部（シャッタ３の上縁）には、接点部１８が摺接する面が上方へ向けて収容部７の裏面側に近付くように厚みが漸減する面取りを施してある。
【００３３】
この面取り部２３の存在によって、第１の開口１１が開かれるときのシャッタ３から充電端子１０への接点部１８の乗り移り、並びに第１の開口１１が閉じられるときの充電端子１０からシャッタ３への接点部１８の乗り移りが滑らかになる。
【００３４】
シャッタ３には、ポリアセタール樹脂、あるいはポリアミド樹脂などのような潤滑性に優れた素材を用いて、摺動に伴う給電端子２の接点部１８やシャッタ３自体の摩耗を抑制することが望ましい。
【００３５】
また、面取り部２３が形作ってある部分を別部材として、シャッタ３に組み付ける構成を採ってもよい。
【００３６】
爪部５は携帯電話機６の凹部１３に係合可能に形作られ、シャッタ３のスリット２１、及び前記収容部７の第３の開口１４に嵌め込んであり、シャッタ３に向き合う面が下方へ向けてシャッタ３から遠ざかるように厚みが漸減する突起部２４を有している。
【００３７】
この爪部５は、前記ばね座１５から収容部７の裏面に沿って下向きに延びる板ばね２５に連結してあり、第３の開口１４から突出する向きに付勢されている。
【００３８】
突起部２４のシャッタ３に対峙する面には、当該シャッタ３の下端近傍に設けた突起部２６が摺動可能に当接している。
【００３９】
つまり、収容部７に載せた携帯電話機６の下端部がノブ４を押し下げると、シャッタ３に設けた突起部２６が爪部５に連なる突起部２４の下端側へと移動し、第３の開口１４から爪部５が板ばね２５の復元力で外方へ突出して、携帯電話機６の凹部１３に係合し、携帯電話機６を収容部７に確実に保持できる（図１参照）。
【００４０】
また、携帯電話機６を収容部７から外すことによりノブ４が上昇すると、シャッタ３に設けた突起部２６が爪部５に連なる突起部２４の上端側へと移動し、爪部５が第３の開口１４から突出しない位置に押し込まれる（図２参照）。
【００４１】
収容部７に載せた携帯電話機６がノブ４を第２の開口１２に押し込んだときに、シャッタ３が第１の開口１１を開いて給電端子２を突出させ、ノブ４が押されていないときには、シャッタ３が第１の開口１１を閉じて給電端子２を露出させないので、給電端子２への塵埃の付着を抑止でき、給電端子の間の短絡も回避できる。
【００４２】
携帯電話機６が第２の開口１２にノブ４を押し込むと、第３の開口１４より突出した爪部５が携帯電話機６器の凹部１３に係合するので、二次電池への充電にあたって携帯電話機６を収容部７に確実に保持できる。
【００４３】
更に、携帯電話機６を収容部７に載せていないときには、給電端子２が上ケース８から露出しないので、給電端子２への塵埃の付着を抑止でき、給電端子２間の短絡も回避できる。
【００４４】
この他に、給電端子２への通電をＯＮ／ＯＦＦするための自動復帰ａ接点型のスイッチ２７を、当該ノブ４が下降したときにスイッチ２７が押し下げられて回路が閉じるように設置しておけば、より安全性が向上する。
【００４５】
なお、本発明の充電置き台は、上述した実施の形態のみに特に限定されるものではなく、本発明の要旨を逸脱しない範囲内において変更を加え得ることは勿論である。
【産業上の利用可能性】
【００４６】
本発明の充電置き台は、様々な携帯電子機器の二次電池の充電手段として適用することができる。
【図面の簡単な説明】
【００４７】
【図１】本発明の充電置き台の実施の形態の一例において携帯電話機を載せた状態を示す縦断面概念図である。
【図２】本発明の充電置き台の実施の形態の一例において携帯電話機が載っていない状態を示す縦断面概念図である。
【図３】本発明の充電置き台の実施の形態の一例において携帯電話機が載っていない状態を示す全体斜視図である。
【符号の説明】
【００４８】
２    給電端子
３    シャッタ
４    ノブ
５    爪部
６    携帯電話機（携帯電子機器）
７    収容部
８    上ケース
１０  充電端子
１１  第１の開口
１２  第２の開口
１３  凹部
１４  第３の開口
１８  接点部（接触対象となる個所）
２３  面取り部
【図１】
2006211844.tif 000003
【図２】
2006211844.tif 000004
【図３】
2006211844.tif 000005